(57)【要約】【課題】アクリル板の原板をプレスなどで打ち抜いた透光板部品を、嵌合という簡単な操作で組み立てることにより、相嵌め界面が強調的に光輝する特有の発光ディスプレイ効果を有する発光模型を提供する。【解決手段】複数の透光板部品１ａ、１ｂ、１ｃ、１ｄを相嵌めして組み立てる構造を有し、任意の透光板部品の板厚面１ｅ’（１ｃ’）に近接又は埋込み配設された光源２（３）を備え、光源からの光２ａ（３ａ）を透光板部品の母材内に透光して、上記各透光板部品に形成した凹欠部相互の嵌合により対接する相嵌め界面１ｆ、１ｇに受光し、該相嵌め界面を光輝せしめる構成とした嵌合組立型発光模型。【選択図】　　　図３
2004121790.tif 000002
【特許請求の範囲】
【請求項１】
透明あるいは半透明透光板から成る複数の透光板部品を相嵌めして組み立てる構造を有し、任意の透光板部品の板厚面と対向して配設された光源を備え、光源からの光を透光板部品の母材内に透光して上記相嵌め界面にて受光し、該相嵌め界面を光輝せしめる構成としたことを特徴とする嵌合組立形発光模型。
【請求項２】
透光板部品を透明あるいは半透明透光板の打抜き板より構成したことを特徴とする請求項１記載の嵌合組立形発光模型。
【請求項３】
透光板部品がアクリル板の打抜き板から成ることを特徴とする嵌合組立形発光模型。
【発明の詳細な説明】
【０００１】
【発明の属する技術分野】
本発明は、透光板部品の嵌合組立てにより構成される嵌合組立形発光模型に関する。
【０００２】
【従来の技術】
従来よりボール紙、段ボール、ベニヤ板、ベーク板で構成した複数の部品を相互に相嵌めして組み立てた嵌合形模型が知られており、これらは単に組立てによる造形や個々の部品に分解できることを目的としている。
又、ガラスやアクリル板で構成した部品を接着やネジ止めで組み立てた模型が知られているが、自然光や周囲の照明器具による全体の光反射効果があるが、相嵌め部の強調的な光輝効果が望めず、ディスプレイ効果に乏しい。
【０００３】
【課題を解決するための手段】
本発明は個々の透光板部品の相嵌め界面を強調的に光輝せしめ、特有の発光ディスプレイ効果を期待できるようにした発光模型を提供するものである。
【０００４】
本発明が対象とする模型は、透明あるいは半透明透光板から成る複数の透光板部品を相嵌めして組み立てる嵌合組立構造を有し、この任意の透光板部品の板厚面と対向して配設された光源を備え、光源からの光を透光板部品の母材内に透光して上記相嵌め界面にて受光し、該相嵌め界面を光輝せしめる構成とした嵌合組立形発光模型である。
【０００５】
又、上記透光板部品は透明あるいは半透明透光板の打抜き板より構成し、打抜き板面における発光を得るようにした。
【０００６】
又、透光板部品はアクリル板の打抜き板にて形成する。
【発明の実施の形態】
本発明の実施の形態を図１乃至図６を参照して説明する。
【０００７】
対象となる模型は動物、樹木等の模擬造形物であり、例として、図１に示すように、恐竜の骨格を簡略化し、頭部から胴体を経て尾部に至る駆体１ａと手１ｂと足１ｃとひれ１ｄの各透光板部品を構成し、これら各透光板部品を図２に示すように板厚面において相互に嵌合し、即ち相嵌めして組立てる構造を有する。
【０００８】
例えば、上記透光板部品１ｂ、１ｃ、１ｄに板厚面で開放せる凹欠部１ｇを形成し、この凹欠部１ｇ内に駆体たる透光板部品１ａの板厚面周縁部に設けた凹欠部１ｆを嵌合し、図４に示すように母体１ａの板厚面１ａ’と透光板部品１ｂ、１ｃ、１ｄの板厚面１ｂ’、１ｃ’、１ｄ’の対接状態を形成する。この対接面を相嵌め界面と称する。
【０００９】
図３（Ａ）に示すように上記該恐竜模型の一部を構成する透光板部品の何れか、例えば模型後端である尾部１ｅの板厚面１ｅ’と近接対向して光源２を配設する。この光源２から発する光線２ａは尾部１ｅの板厚面１ｅ’で受光し、駆体１ａの板厚母材内を透光して、手１ｂ、足１ｃ、ひれ１ｄの各透光板部品の相嵌め界面に受光され、さらには各部品の周縁の板厚面に転回伝達され、上記相嵌め界面における乱反射により同所を強調的に光輝せしめると同時に各部品の周縁部の板厚面を光輝せしめる。
【００１０】
図３（Ａ）は上記の他に光源３を据え付けられる足１ｃの下方に配設し光線３ａを照射する事例を示す。光線３ａは足１ｃの板厚面１ｃ’で受光し、足１ｃたる透光板部品の母材内を透光して、足１ｃの相嵌め界面で受光され、同所を光輝せしめる。
【００１１】
又、この相嵌め界面を通過した光線は躯体１ａの母材内を透光し、他の各透光板部品１ｂ、１ｄの相嵌め界面で受光され、同所を光輝せしめる。
【００１２】
同図における４は上記嵌合組立型発光模型における据付台座である。この据付台座４の上面に据付け部となる透光板部品、例えば足１ｃの下端を嵌合する嵌合部５を設けこの嵌合部５に足１ｃを嵌合して模型の側倒を防止しつつ、台座４の上面の定位置に据付ける。
【００１３】
そして上記台座４をケーシング構造にし、内部に電源たる電池６を収容すると共に、これと結線せる光源２、３を収容し、この光源３を前記の如く透光板部品である据付足１ｃの板厚面１ｃ’と近接対向せしめる。
【００１４】
又、台座４の躯体１ａ尾部１ｅを支持する部分には透光窓８を設け、これに光源２を配し尾部の板厚面１ｅ’を近接対向せしめる。
さらに７はスイッチであり、スイッチＯＮにより光源２、３が点灯し、前記した透光により各相嵌め界面を光輝せしめる。
【００１５】
図５、図６において上記相嵌め界面を形成する板厚面１ａ’、１ｄ’（１ｂ’、１ｃ’）を特定の角度に設定することにより、光源２、３からの光線２ａ、３ａを屈折ならしめ、必要とする各透光板部品の輝きを増して示し周囲の方向からの視認性の向上を図る。
【００１６】
上記光源２、３を点滅作動する構成とする。これにより、前記相嵌め界面ならびに光線の転回先である透光板部品の存在をさらに強調的かつ効果的に知らしめ光輝する一助となり得る。
【００１７】
上記光源としては発光ダイオードが適切である。又、電球、蛍光灯、冷陰極管、ネオン管や、上記光源より導かれた光ケーブルの先端などが考えられる。
【００１８】
【発明の効果】
本発明によれば、アクリル板の原板をプレスなどで打ち抜いた透光板部品を、嵌合という簡単な操作で組み立てることにより、相嵌め界面が強調的に光輝する特有の発光ディスプレイ効果を有する発光模型を提供することが可能である。
【図面の簡単な説明】
【図１】恐竜の嵌合組立模型の分解斜視図である。
【図２】同組立斜視図である。
【図３】（Ａ）は光源を設置した同恐竜模型を台座を断面として示す側面図である。
（Ｂ）は光源を配設した台座部の拡大横断面図である。
【図４】透光板部品の相嵌め界面部の拡大横断面図である。
【図５】同透光板部品の相嵌め界面部の拡大縦断面図であり、同界面に逃げ角となる斜面を形成した図である。
【図６】同透光板部品の相嵌め界面部の拡大縦断面図であり、同界面に向かい角逃げ角となる斜面を形成した図である。
【図１】
2004121790.tif 000003
【図２】
2004121790.tif 000004
【図３】
2004121790.tif 000005
【図４】
2004121790.tif 000006
【図５】
2004121790.tif 000007
【図６】
2004121790.tif 000008
【手続補正書】
【提出日】平成14年10月25日(2002.10.25)
【手続補正１】
【補正対象書類名】明細書
【補正対象項目名】符号の説明
【補正方法】追加
【補正の内容】
【符号の説明】
１ａ　　躯体
１ｂ　　手
１ｃ　　足
１ｄ　　ひれ
１ｅ　　尾部
１ｆ及び１ｇ　　凹欠部
１ａ’及び１ｂ’及び１ｃ’及び１ｄ’及び１ｅ’　　板厚面
２及び３　　光源
２ａ及び３ａ　　光線
４　　台座
５　　足下端嵌合部
６　　電源電池
７　　スイッチ
８　　透光窓